(57)【特許請求の範囲】
【請求項１】
マークアップ言語に関する定型書式を使用して作成した文書データを送信する機能を有する電子装置であって、
複数種類の前記定型書式を記憶すると共に、前記文書データを送信した送信相手に対する各定型書式毎の使用履歴情報を記憶する記憶手段と、
表示手段と、
前記文書データの作成に使用する定型書式と当該文書データの宛先とを指示するための操作手段と、
前記操作手段の操作によって指示された前記文書データの定型書式及び宛先と、前記記憶手段に記憶されている前記使用履歴情報とを基に、前記宛先に対応する送信相手に対して、今回指示された定型書式と同一の定型書式が過去使用されたことがあると判定した場合、警告メッセージを前記表示手段に表示させる制御手段と、
を備えることを特徴とする電子装置。
【請求項２】
前記記憶手段は、受信した文書データの送信元と当該送信元から受信した文書データに使用されていた定型書式との対応関係を表す受信履歴情報を記憶し、
前記制御手段は、前記操作手段の操作によって指示された前記文書データの定型書式及び宛先と、前記記憶手段に記憶されている前記使用履歴情報とを基に、前記宛先に対応する送信相手に対して、今回指示された定型書式と同一の定型書式が過去使用されたことがないと判定した場合、前記受信履歴情報に基づいて、前記宛先に対応する送信相手から今回指示された定型書式と同一の定型書式を使用した文書データを受信したことがあるか否かを判定し、受信したことがあると判定した場合に、前記警告メッセージを前記表示手段に表示させることを特徴とする請求項１記載の電子装置。
【請求項３】
前記制御手段は、前記表示手段の画面において専用ウインドウを開いて前記警告メッセージを表示させ、前記操作手段の操作に応じて当該専用ウインドウを閉じるポップアップ表示モードと、前記表示手段の画面における所定の領域に前記警告メッセージを常時表示させる常時表示モードと、前記警告メッセージの表示を行わず、今回指示された定型書式にて文書データの作成処理を継続するメッセージオフモードとを有し、これら３つのモードの内、前記操作手段の操作によって選択されたモードを使用することを特徴とする請求項１または２に記載の電子装置。
【請求項４】
前記制御手段は、前記ポップアップ表示モード選択時において、前記専用ウインドウを閉じた後、定型書式の再選択画面を前記表示手段に表示させ、前記操作手段の操作により選択された定型書式を使用して今回送信する文書データの作成処理を継続することを特徴とする請求項３記載の電子装置。
【請求項５】
前記制御手段は、前記常時表示モード選択時において、前記警告メッセージの表示後、前記操作手段にて所定の操作が行われた場合に、定型書式の再選択画面を前記表示手段に表示させ、前記操作手段の操作により選択された定型書式を使用して今回送信する文書データの作成処理を継続することを特徴とする請求項３記載の電子装置。
【請求項６】
前記制御手段は、前記定型書式の再選択画面として、前記宛先に対応する送信相手に対して過去使用されたことがない定型書式の一覧画面を表示させ、当該一覧画面から前記操作手段の操作により選択された定型書式を使用して今回送信する文書データの作成処理を継続することを特徴とする請求項４または５に記載の電子装置。
【請求項７】
前記制御手段は、前記定型書式の再選択画面として、定型書式の保存先の一覧画面を表示させ、前記操作手段の操作により前記保存先のいずれかから選択された定型書式を使用して今回送信する文書データの作成処理を継続することを特徴とする請求項４または５に記載の電子装置。
【請求項８】
前記制御手段は、前記定型書式の再選択画面として、予め登録されている定型書式の配信サイトを表示させ、前記操作手段の操作により前記配信サイトから選択され且つダウンロードされた定型書式を使用して今回送信する文書データの作成処理を継続することを特徴とする請求項４または５に記載の電子装置。
【請求項９】
前記制御手段は、前記定型書式の再選択画面として、定型書式の配信サイトのアドレスを表すブックマークの一覧画面を表示させると共に前記操作手段の操作により選択されたブックマークに応じた配信サイトを表示させ、当該配信サイトから選択され且つダウンロードされた定型書式を使用して今回送信する文書データの作成処理を継続することを特徴とする請求項４または５に記載の電子装置。
【請求項１０】
前記制御手段は、前記定型書式の再選択画面の表示前に、今回指示された定型書式を使用する第１選択肢と、前記宛先に対応する送信相手に対して過去使用されたことがない定型書式の一覧画面を表示させる第２選択肢と、定型書式の保存先の一覧画面を表示させる第３選択肢と、予め登録されている定型書式の配信サイトを表示させる第４選択肢と、定型書式の配信サイトのアドレスを表すブックマークの一覧画面を表示させる第５選択肢との少なくとも１つを含む選択肢の内、いずれか１つを選択させるための予備選択画面を表示させ、当該予備選択画面から前記操作手段の操作により選択された選択肢に対応する再選択画面を表示させることを特徴とする請求項４または５に記載の電子装置。
【請求項１１】
前記制御手段は、前記第１選択肢が選択された場合には、今回指示された定型書式にて文書データの作成処理を継続し、
また、前記第２選択肢が選択された場合には、前記過去使用されたことがない定型書式の一覧画面を表示させ、当該一覧画面から前記操作手段の操作により選択された定型書式を使用して今回送信する文書データの作成処理を継続し、
また、前記第３選択肢が選択された場合には、前記定型書式の保存先の一覧画面を表示させ、前記操作手段の操作により前記保存先のいずれかから選択された定型書式を使用して今回送信する文書データの作成処理を継続し、
また、前記第４選択肢が選択された場合には、前記登録されている定型書式の配信サイトを表示させ、前記操作手段の操作により前記配信サイトから選択され且つダウンロードされた定型書式を使用して今回送信する文書データの作成処理を継続し、
また、前記第５選択肢が選択された場合には、前記ブックマークの一覧画面を表示させると共に前記操作手段の操作により選択されたブックマークに応じた配信サイトを表示させ、当該配信サイトから選択され且つダウンロードされた定型書式を使用して今回送信する文書データの作成処理を継続することを特徴とする請求項１０記載の電子装置。
【請求項１２】
前記制御手段は、前記操作手段の操作によって前記文書データに関する件名及び本文内容が入力された後に、前記文書データに使用する定型書式及び宛先の指示があった場合であって、且つその後の定型書式の再選択によって文書データに使用する定型書式が変更された場合、前記件名、前記本文内容、変更前の定型書式の装飾種別の中から定型書式変更後の文書データの作成に引継ぐ項目を選択させるための引継項目選択画面を表示させ、当該引継項目選択画面から前記操作手段の操作により選択された項目を定型書式変更後の文書データの作成に引継ぐことを特徴とする請求項４〜１１のいずれか一項に記載の電子装置。
【請求項１３】
マークアップ言語に関する定型書式を使用して作成した文書データを送信する通信方法であって、
複数種類の前記定型書式を記憶すると共に、前記文書データを送信した送信相手に対する各定型書式毎の使用履歴情報を記憶する第１工程と、
前記文書データの作成に使用する定型書式と当該文書データの宛先とを指示する第２工程と、
前記第２工程にて指示された前記文書データの定型書式及び宛先と、前記第１工程にて記憶された前記使用履歴情報とを基に、前記宛先に対応する送信相手に対して、今回指示された定型書式と同一の定型書式が過去使用されたことがあると判定した場合、警告メッセージを表示する第３工程と、
を有することを特徴とする通信方法。
【発明の詳細な説明】
【技術分野】
【０００１】
本発明は、電子装置及び通信方法に関する。
【背景技術】
【０００２】
周知のように、インターネット上で閲覧可能なＷｅｂサイト（ホームページやブログ等）は、ＨＴＭＬ(Hyper Text Markup Language)等のマークアップ言語を用いて作成されており、Ｗｅｂブラウザを備える機器をインターネットに接続しさえすれば、場所的、時間的な制約を受けることなく、誰でもＷｅｂサイトを閲覧することができる。
【０００３】
近年では、ＨＴＭＬについて詳しくない初心者でも容易にＷｅｂサイトを作成できるように、テンプレートと呼ばれる、Ｗｅｂサイトの画面構成（使用する文章、記号、図、挿入画像等やこれらの配置位置、さらには文字フォントや文字サイズ、文字色等の装飾種別、背景画像など）に関する定型書式が記述されたＨＴＭＬファイルが利用されている。また、このようなテンプレートは、Ｗｅｂサイトの作成だけでなくＨＴＭＬメールの作成にも利用されており、様々な装飾を施したメールを容易に作成して相手側に送ることもできる。
【特許文献１】特開平６−２５９４５８号公報
【発明の開示】
【発明が解決しようとする課題】
【０００４】
上述したように、テンプレートを使用してＨＴＭＬメールを作成することができるが、同じ送信相手に過去使用したものと同じテンプレートを用いて作成したＨＴＭＬメールを繰り返し送信した場合、送信相手に不快感を与えてしまう恐れがあった。
【０００５】
本発明は、上述した事情に鑑みてなされたものであり、マークアップ言語に関する定型書式を使用して作成した文書データを送信する場合において、送信相手に不快感を与えることを防止することを目的とする。
【課題を解決するための手段】
【０００６】
上記目的を達成するために、本発明では、電子装置に係る第１の解決手段として、マークアップ言語に関する定型書式を使用して作成した文書データを送信する機能を有する電子装置であって、複数種類の前記定型書式を記憶すると共に、前記文書データを送信した送信相手に対する各定型書式毎の使用履歴情報を記憶する記憶手段と、表示手段と、前記文書データの作成に使用する定型書式と当該文書データの宛先とを指示するための操作手段と、前記操作手段の操作によって指示された前記文書データの定型書式及び宛先と、前記記憶手段に記憶されている前記使用履歴情報とを基に、前記宛先に対応する送信相手に対して、今回指示された定型書式と同一の定型書式が過去使用されたことがあると判定した場合、警告メッセージを前記表示手段に表示させる制御手段と、を備えることを特徴とする。
【０００７】
また、電子装置に係る第２の解決手段として、上記第１の解決手段において、前記記憶手段は、受信した文書データの送信元と当該送信元から受信した文書データに使用されていた定型書式との対応関係を表す受信履歴情報を記憶し、前記制御手段は、前記操作手段の操作によって指示された前記文書データの定型書式及び宛先と、前記記憶手段に記憶されている前記使用履歴情報とを基に、前記宛先に対応する送信相手に対して、今回指示された定型書式と同一の定型書式が過去使用されたことがないと判定した場合、前記受信履歴情報に基づいて、前記宛先に対応する送信相手から今回指示された定型書式と同一の定型書式を使用した文書データを受信したことがあるか否かを判定し、受信したことがあると判定した場合に、前記警告メッセージを前記表示手段に表示させることを特徴とする。
【０００８】
また、電子装置に係る第３の解決手段として、上記第１または第２の解決手段において、前記制御手段は、前記表示手段の画面において専用ウインドウを開いて前記警告メッセージを表示させ、前記操作手段の操作に応じて当該専用ウインドウを閉じるポップアップ表示モードと、前記表示手段の画面における所定の領域に前記警告メッセージを常時表示させる常時表示モードと、前記警告メッセージの表示を行わず、今回指示された定型書式にて文書データの作成処理を継続するメッセージオフモードとを有し、これら３つのモードの内、前記操作手段の操作によって選択されたモードを使用することを特徴とする。
【０００９】
また、電子装置に係る第４の解決手段として、上記第３の解決手段において、前記制御手段は、前記ポップアップ表示モード選択時において、前記専用ウインドウを閉じた後、定型書式の再選択画面を前記表示手段に表示させ、前記操作手段の操作により選択された定型書式を使用して今回送信する文書データの作成処理を継続することを特徴とする。
【００１０】
また、電子装置に係る第５の解決手段として、上記第３の解決手段において、前記制御手段は、前記常時表示モード選択時において、前記警告メッセージの表示後、前記操作手段にて所定の操作が行われた場合に、定型書式の再選択画面を前記表示手段に表示させ、前記操作手段の操作により選択された定型書式を使用して今回送信する文書データの作成処理を継続することを特徴とする。
【００１１】
また、電子装置に係る第６の解決手段として、上記第４または第５の解決手段において、前記制御手段は、前記定型書式の再選択画面として、前記宛先に対応する送信相手に対して過去使用されたことがない定型書式の一覧画面を表示させ、当該一覧画面から前記操作手段の操作により選択された定型書式を使用して今回送信する文書データの作成処理を継続することを特徴とする。
【００１２】
また、電子装置に係る第７の解決手段として、上記第４または第５の解決手段において、前記制御手段は、前記定型書式の再選択画面として、定型書式の保存先の一覧画面を表示させ、前記操作手段の操作により前記保存先のいずれかから選択された定型書式を使用して今回送信する文書データの作成処理を継続することを特徴とする。
【００１３】
また、電子装置に係る第８の解決手段として、上記第４または第５の解決手段において、前記制御手段は、前記定型書式の再選択画面として、予め登録されている定型書式の配信サイトを表示させ、前記操作手段の操作により前記配信サイトから選択され且つダウンロードされた定型書式を使用して今回送信する文書データの作成処理を継続することを特徴とする。
【００１４】
また、電子装置に係る第９の解決手段として、上記第４または第５の解決手段において、前記制御手段は、前記定型書式の再選択画面として、定型書式の配信サイトのアドレスを表すブックマークの一覧画面を表示させると共に前記操作手段の操作により選択されたブックマークに応じた配信サイトを表示させ、当該配信サイトから選択され且つダウンロードされた定型書式を使用して今回送信する文書データの作成処理を継続することを特徴とする。
【００１５】
また、電子装置に係る第１０の解決手段として、上記第４または第５の解決手段において、前記制御手段は、前記定型書式の再選択画面の表示前に、今回指示された定型書式を使用する第１選択肢と、前記宛先に対応する送信相手に対して過去使用されたことがない定型書式の一覧画面を表示させる第２選択肢と、定型書式の保存先の一覧画面を表示させる第３選択肢と、予め登録されている定型書式の配信サイトを表示させる第４選択肢と、定型書式の配信サイトのアドレスを表すブックマークの一覧画面を表示させる第５選択肢との少なくとも１つを含む選択肢の内、いずれか１つを選択させるための予備選択画面を表示させ、当該予備選択画面から前記操作手段の操作により選択された選択肢に対応する再選択画面を表示させることを特徴とする。
【００１６】
また、電子装置に係る第１１の解決手段として、上記第１０の解決手段において、前記制御手段は、前記第１選択肢が選択された場合には、今回指示された定型書式にて文書データの作成処理を継続し、また、前記第２選択肢が選択された場合には、前記過去使用されたことがない定型書式の一覧画面を表示させ、当該一覧画面から前記操作手段の操作により選択された定型書式を使用して今回送信する文書データの作成処理を継続し、また、前記第３選択肢が選択された場合には、前記定型書式の保存先の一覧画面を表示させ、前記操作手段の操作により前記保存先のいずれかから選択された定型書式を使用して今回送信する文書データの作成処理を継続し、また、前記第４選択肢が選択された場合には、前記登録されている定型書式の配信サイトを表示させ、前記操作手段の操作により前記配信サイトから選択され且つダウンロードされた定型書式を使用して今回送信する文書データの作成処理を継続し、また、前記第５選択肢が選択された場合には、前記ブックマークの一覧画面を表示させると共に前記操作手段の操作により選択されたブックマークに応じた配信サイトを表示させ、当該配信サイトから選択され且つダウンロードされた定型書式を使用して今回送信する文書データの作成処理を継続することを特徴とする。
【００１７】
また、電子装置に係る第１２の解決手段として、上記第４〜１１のいずれかの解決手段において、前記制御手段は、前記操作手段の操作によって前記文書データに関する件名及び本文内容が入力された後に、前記文書データに使用する定型書式及び宛先の指示があった場合であって、且つその後の定型書式の再選択によって文書データに使用する定型書式が変更された場合、前記件名、前記本文内容、変更前の定型書式の装飾種別の中から定型書式変更後の文書データの作成に引継ぐ項目を選択させるための引継項目選択画面を表示させ、当該引継項目選択画面から前記操作手段の操作により選択された項目を定型書式変更後の文書データの作成に引継ぐことを特徴とする。
【００１８】
さらに、本発明では、通信方法に係る解決手段として、マークアップ言語に関する定型書式を使用して作成した文書データを送信する通信方法であって、複数種類の前記定型書式を記憶すると共に、前記文書データを送信した送信相手に対する各定型書式毎の使用履歴情報を記憶する第１工程と、前記文書データの作成に使用する定型書式と当該文書データの宛先とを指示する第２工程と、前記第２工程にて指示された前記文書データの定型書式及び宛先と、前記第１工程にて記憶された前記使用履歴情報とを基に、前記宛先に対応する送信相手に対して、今回指示された定型書式と同一の定型書式が過去使用されたことがあると判定した場合、警告メッセージを表示する第３工程と、を有することを特徴とする。
【発明の効果】
【００１９】
本発明によると、今回指示された宛先に対応する送信相手に対して、今回指示された定型書式と同一の定型書式が過去使用されたことがあると判定した場合は、警告メッセージを表示するため、ユーザはその警告メッセージを確認して定型書式を変更する等の対応をとることができる。その結果、同じ送信相手に過去使用されたものと同じ定型書式を使用して作成した文書データを繰り返し送信することがなくなり、送信相手に不快感を与えることを防止することができる。
【発明を実施するための最良の形態】
【００２０】
以下、図面を参照して本発明の一実施形態について説明する。なお、本実施形態に係る電子装置として、例えば携帯電話機などの無線通信端末を例示して説明する。
図１（ａ）は、本実施形態に係る無線通信端末１００の外観図であり、図１（ｂ）は、本実施形態に係る無線通信端末１００の機能ブロック構成図である。これら図１（ａ）、（ｂ）に示すように、本実施形態に係る無線通信端末１００は、制御部（制御手段）１０、無線通信部２０、操作部（操作手段）３０、表示部（表示手段）４０、音声入出力部５０及び記憶部（記憶手段）６０を備えている。
【００２１】
制御部１０は、例えばベースバンドプロセッサであり、記憶部６０に記憶されている制御プログラムや無線通信部２０を介して取得した受信信号、操作部３０から入力される操作信号及び音声入出力部５０から入力され音声信号に基づいて、本無線通信端末１００の動作を統括的に制御する。無線通信部２０は、制御部１０による制御の下、制御部１０から出力される制御信号またはデータ信号の誤り訂正符号化、変調及びＲＦ周波数帯への周波数変換を行った後、送信信号として図示しない基地局に送信する。また、この無線通信部２０は、基地局から受信したＲＦ信号の、ＩＦ周波数帯への周波数変換、復調、誤り訂正復号化などを行い、受信信号として制御部１０に出力する。
【００２２】
操作部３０は、電源キー、各種ファンクションキー、テンキー等の操作キーから構成されており、これら操作キーによる操作入力に応じた操作信号を制御部１０に出力する。表示部４０は、例えば液晶モニタまたは有機ＥＬモニタ等であり、制御部１０から入力される表示信号に基づいて所定の画像や文字を表示する。音声入出力部５０は、マイク５０ａ及びスピーカ５０ｂから構成されており、マイク５０ａを介して外部から入力された音声を音声信号に変換して制御部１０に出力する一方、制御部１０から入力される音声信号をスピーカ５０ｂを介して外部に出力する。記憶部６０は、例えばフラッシュメモリであり、上記制御部１０で使用される制御プログラムや各種データを記憶する。
【００２３】
このように構成された本無線通信端末１００は、基地局を介して他の無線通信端末と通信可能であると共に、基地局を介してインターネット接続を行うことができ、インターネットに接続されている各種サーバやＰＣ(Personal Computer)等の固定端末とも通信可能である。また、本無線通信端末１００は、ＨＴＭＬに関するテンプレート（マークアップ言語に関する定型書式）を使用して作成したＨＴＭＬメール（文書データ）を送信する機能を有しており、記憶部６０には複数種類のテンプレートが記憶されていると共に、過去にＨＴＭＬメールを送信した送信相手に対する各テンプレート毎の使用履歴情報が記憶されている。さらに、この記憶部６０には、基地局を介して受信したＨＴＭＬメールの送信元と、この受信したＨＴＭＬメールに使用されていたテンプレートとの対応関係を表す受信履歴情報が記憶されている。
【００２４】
図２は、記憶部６０に記憶されている各種テンプレートの一例を示したものである。この図２に示すように、例えばテンプレートの保存先であるテンプレートフォルダ１には「おはよう０１」及び「おはよう０２」を表すテンプレートが保存されており、テンプレートフォルダ２には「こんばんは０１」を表すテンプレートが保存されており、テンプレートフォルダ３には「お誕生日おめでとう０１」を表すテンプレートが保存されており、テンプレートフォルダ４には「ドライブ０１」を表すテンプレートが保存されている。
【００２５】
図３は、記憶部６０に記憶されている、過去にＨＴＭＬメールを送信した送信相手に対する各テンプレート毎の使用履歴情報の一例を示したものである。この図３に示すように、例えば、使用履歴情報として、送信相手が「Ａさん」（メールアドレス「aaaaaaaa」）に対する各テンプレート毎の使用回数や、送信相手が「Ｂさん」（メールアドレス「bbbbbbbb」）に対する各テンプレート毎の使用回数や、送信相手が「Ｃさん」（メールアドレス「cccccccc」）に対する各テンプレート毎の使用回数が保存されている。
【００２６】
図４は、記憶部６０に記憶されている、基地局を介して受信したＨＴＭＬメールの送信元と、この受信したＨＴＭＬメールに使用されていたテンプレートとの対応関係を表す受信履歴情報の一例を示したものである。この図４に示すように、例えば、受信履歴情報として、受信メールの送信元「Ａさん」（メールアドレス「aaaaaaaa」）と、この「Ａさん」から受信したＨＴＭＬメールに使用されていたテンプレートとの対応関係や、この受信メールの送信元「Ｄさん」（メールアドレス「dddddddd」）と、この「Ｄさん」から受信したＨＴＭＬメールに使用されていたテンプレートとの対応関係が保存されている。
なお、上述した記憶部６０に記憶されている使用履歴情報や受信履歴情報は、ＨＴＭＬメールの送受信を行う毎に、制御部１０の制御によって逐次更新されている。
【００２７】
詳細は後述するが、制御部１０は、本実施形態における特徴的な動作として、操作部３０の操作によって指示されたテンプレート及びメールアドレス（宛先）と、上記使用履歴情報とを基に、メールアドレスに対応する送信相手に対して、今回指示されたテンプレートと同一のテンプレートが過去使用されたことがあると判定した場合、警告メッセージを表示部４０に表示させる。一方、制御部１０は、上記使用履歴情報を基に、メールアドレスに対応する送信相手に対して、今回指示されたテンプレートと同一のテンプレートが過去使用されたことがないと判定した場合は、上記受信履歴情報に基づいて、指示されたメールアドレスに対応する送信相手から今回指示されたテンプレートと同一のテンプレートを使用したＨＴＭＬメールを受信したことがあると判定した場合に、警告メッセージを表示部４０に表示させる。
【００２８】
また、制御部１０は、表示部４０の画面において専用ウインドウを開いて上記警告メッセージを表示させ、操作部３０の操作に応じて当該専用ウインドウを閉じるポップアップ表示モードと、表示部４０の画面における所定の領域に上記警告メッセージを常時表示させる常時表示モードと、上記警告メッセージの表示を行わず、今回指示されたテンプレートにてＨＴＭＬメールの作成処理を継続するメッセージオフモードとを有し、これら３つのモードの内、操作部３０の操作によって選択されたモードを使用する。すなわち、上記３つのモードの内、どれを使用するかが予め操作部３０の操作によって選択されており、そのモード選択情報が記憶部６０に記憶されている。
【００２９】
次に、上記のように構成された本実施形態に係る無線通信端末１００の動作、特にＨＴＭＬメールの作成処理に関する動作について図５のフローチャートを参照して説明する。
まず、制御部１０は、ＨＴＭＬメール作成画面表示中に、操作部３０の操作によって今回のＨＴＭＬメールの作成に使用するテンプレートと、ＨＴＭＬメールの宛先（つまりメールアドレス）とが指示されたことを検知すると（ステップＳ１）、記憶部６０に記憶されているモード選択情報を読み出し、ポップアップ表示モード、常時表示モード、メッセージオフモードのどれが選択されているのかを判定する（ステップＳ２）。
【００３０】
制御部１０は、上記ステップＳ２において、ポップアップ表示モードが選択されていると判定した場合はステップＳ３の処理に移行し、常時表示モードが選択されていると判定した場合はステップＳ２５の処理に移行し、メッセージオフモードが選択されていると判定した場合はステップＳ１１の処理に移行する。以下では、まず、ポップアップ表示モードが選択されていた場合について説明する。
【００３１】
＜ポップアップ表示モード＞
制御部１０は、ステップＳ１にて指示されたテンプレート及びメールアドレス（宛先）と、記憶部６０に記憶されている使用履歴情報とを基に、メールアドレスに対応する送信相手に対して、今回指示されたテンプレートと同一のテンプレートが過去使用されたことがあるか否かを判定する（ステップＳ３）。例えば、テンプレートとして「おはよう０１」が指示され、メールアドレスとして「aaaaaaaa」が指示された場合、図３に示すように、送信相手である「Ａさん」に対して「おはよう０１」を表すテンプレートの使用回数は０回、つまり過去使用されたことがないと判定することができる。また、例えば、テンプレートとして「おはよう０２」が指示され、メールアドレスとして「aaaaaaaa」が指示された場合、図３に示すように、送信相手である「Ａさん」に対して「おはよう０２」を表すテンプレートの使用回数は１回、つまり過去使用されたことがあると判定することができる。
【００３２】
上記ステップＳ３において、メールアドレスに対応する送信相手に対して、今回指示されたテンプレートと同一のテンプレートが過去使用されたことがあると判定された場合（「Yes」）、制御部１０は、図６に示すように、表示部４０の画面において専用ウインドウを開いて警告メッセージを表示させる（ステップＳ４）。図６に示すように、この警告メッセージには今回指示されたテンプレートの使用回数を一緒に表示させても良い。
【００３３】
そして、制御部１０は、操作部３０の操作によって上記専用ウインドウを閉じる指示が入力されたか否かを判定し（ステップＳ５）、上記専用ウインドウを閉じる指示が入力されたと判定した場合（「Yes」）、上記専用ウインドウを閉じた後、ステップＳ９の処理に移行する。一方、ステップＳ５において、上記専用ウインドウを閉じる指示が入力されたと判定されない場合（「No」）、制御部１０は、警告メッセージの表示を継続する。
【００３４】
また、ステップＳ３において、メールアドレスに対応する送信相手に対して、今回指示されたテンプレートと同一のテンプレートが過去使用されたことがないと判定された場合（「No」）、制御部１０は、記憶部６０に記憶されている受信履歴情報に基づいて、指示されたメールアドレスに対応する送信相手から今回指示されたテンプレートと同一のテンプレートを使用したＨＴＭＬメールを受信したことがあるか否かを判定する（ステップＳ６）。例えば、テンプレートとして「おはよう０１」が指示され、メールアドレスとして「aaaaaaaa」が指示された場合、図４に示すように、送信元（送信相手）である「Ａさん」から「おはよう０１」を表すテンプレートを使用したＨＴＭＬメールを受信したことはないと判定することができる。また、例えば、テンプレートとして「おはよう０２」が指示され、メールアドレスとして「aaaaaaaa」が指示された場合、図４に示すように、送信元（送信相手）である「Ａさん」に対して「おはよう０２」を表すテンプレートを使用したＨＴＭＬメールを受信したことがあると判定することができる。
【００３５】
上記ステップＳ６において、指示されたメールアドレスに対応する送信相手から今回指示されたテンプレートと同一のテンプレートを使用したＨＴＭＬメールを受信したことがあると判定された場合（「Yes」）、制御部１０は、表示部４０の画面において専用ウインドウを開いて警告メッセージを表示させる（ステップＳ７）。そして、制御部１０は、操作部３０の操作によって上記専用ウインドウを閉じる指示が入力されたか否かを判定し（ステップＳ８）、上記専用ウインドウを閉じる指示が入力されたと判定した場合（「Yes」）、上記専用ウインドウを閉じた後、ステップＳ９の処理に移行する。一方、ステップＳ８において、上記専用ウインドウを閉じる指示が入力されたと判定されない場合（「No」）、制御部１０は、警告メッセージの表示を継続する。
【００３６】
制御部１０は、ステップＳ５またはステップＳ８で警告メッセージの専用ウインドウを閉じた後、図７に示すように、今回指示されたテンプレートを使用する第１選択肢と、テンプレートの再選択画面として、メールアドレスに対応する送信相手に対して過去使用されたことがないテンプレートの一覧画面を表示させる第２選択肢と、テンプレートの再選択画面として、テンプレートの保存先の一覧画面を表示させる第３選択肢と、テンプレートの再選択画面として、予め登録されているテンプレートの配信サイトを表示させる第４選択肢と、テンプレートの再選択画面として、テンプレートの配信サイトのアドレスを表すブックマークの一覧画面を表示させる第５選択肢との５つの選択肢の内、いずれか１つを選択させるための予備選択画面を表示部４０に表示させる（ステップＳ９）。
【００３７】
そして、制御部１０は、上記予備選択画面から操作部３０の操作により選択された選択肢が第１選択肢（「今回指示されたテンプレートを使用する」）であるか否かを判定する（ステップＳ１０）。このステップＳ１０において、第１選択肢が選択されたと判定された場合（「Yes」）、制御部１０は、今回指示された（つまりステップＳ１で指示された）テンプレートを使用してＨＴＭＬメールの作成処理を継続する（ステップＳ１１）。
【００３８】
一方、ステップＳ１０において、第１選択肢が選択されたと判定されない場合（「No」）、制御部１０は、上記予備選択画面から操作部３０の操作により選択された選択肢が第２選択肢（「メールアドレスに対応する送信相手に対して過去使用されたことがないテンプレートの一覧画面を表示させる」）であるか否かを判定する（ステップＳ１２）。このステップＳ１２において、第２選択肢が選択されたと判定された場合（「Yes」）、制御部１０は、図８に示すように、記憶部６０に記憶されている使用履歴情報及び受信履歴情報を基に、メールアドレスに対応する送信相手に対して過去使用されたことがないテンプレートの一覧画面を表示部４０に表示させる（ステップＳ１３）。そして、制御部１０は、上記の一覧画面から操作部３０の操作により選択されたテンプレートを使用して今回送信する文書データの作成処理を継続する（ステップＳ１４）。
【００３９】
一方、ステップＳ１２において、第２選択肢が選択されたと判定されない場合（「No」）、制御部１０は、上記予備選択画面から操作部３０の操作により選択された選択肢が第３選択肢（「テンプレートの保存先の一覧画面を表示させる」）であるか否かを判定する（ステップＳ１５）。このステップＳ１５において、第３選択肢が選択されたと判定された場合（「Yes」）、制御部１０は、図９に示すように、記憶部６０におけるテンプレートの保存先（テンプレートフォルダ）の一覧画面を表示部４０に表示させる（ステップＳ１６）。ここで、無線通信端末１００がメモリカード装着可能機種であり、装着されたメモリカード内にもテンプレートが保存されている場合は、テンプレートの保存先としてメモリカードを表示しても良い。また、テンプレート毎に今回の送信相手に対する使用履歴情報（使用回数）を表示することが好ましい。
そして、制御部１０は、上記の一覧画面から操作部３０の操作によりテンプレートの保存先のいずれかから選択されたテンプレートを使用して今回送信する文書データの作成処理を継続する（ステップＳ１７）。
【００４０】
一方、ステップＳ１５において、第３選択肢が選択されたと判定されない場合（「No」）、制御部１０は、上記予備選択画面から操作部３０の操作により選択された選択肢が第４選択肢（「予め登録されているテンプレートの配信サイトを表示させる」）であるか否かを判定する（ステップＳ１８）。なお、この時、通信を行うことから、配信サイトに接続するか否かをユーザに問うようにしても良い。このステップＳ１８において、第４選択肢が選択されたと判定された場合（「Yes」）、制御部１０は、図１０に示すように、記憶部６０に予め登録（記憶）されているテンプレートの配信サイトのアドレス（例えばＵＲＬ）を読み出し、無線通信部２０を制御してそのアドレスにアクセスすることで、テンプレートの配信サイトを表示部４０に表示させる（ステップＳ１９）。そして、制御部１０は、操作部３０の操作により上記の配信サイトから選択され且つダウンロードされたテンプレートを使用して今回送信する文書データの作成処理を継続する（ステップＳ２０）。
【００４１】
一方、ステップＳ１８において、第４選択肢が選択されたと判定されない場合（「No」）、制御部１０は、上記予備選択画面から操作部３０の操作により選択された選択肢が第５選択肢（「テンプレートの配信サイトのアドレスを表すブックマークの一覧画面を表示させる」）であるか否かを判定する（ステップＳ２１）。このステップＳ２１において、第５選択肢が選択されたと判定された場合（「Yes」）、制御部１０は、図１１に示すように、記憶部６０に登録（記憶）されている、テンプレートの配信サイトのアドレスを表すブックマークの一覧画面を表示部４０に表示させる（ステップＳ２２）。そして、制御部１０は、上記一覧画面から操作部３０の操作により選択されたブックマークに応じた配信サイトを表示部４０に表示させ（ステップＳ２３）、その配信サイトから操作部３０の操作により選択され且つダウンロードされたテンプレートを使用して今回送信する文書データの作成処理を継続する（ステップＳ２４）。
なお、上記ステップＳ２１において、第５選択肢が選択されたと判定されない場合（「No」）、制御部１０は、ステップＳ１０の処理に戻る。
【００４２】
＜常時表示モード＞
次に、常時表示モードについて説明する。制御部１０は、ステップＳ１にて指示されたテンプレート及びメールアドレス（宛先）と、記憶部６０に記憶されている使用履歴情報とを基に、メールアドレスに対応する送信相手に対して、今回指示されたテンプレートと同一のテンプレートが過去使用されたことがあるか否かを判定する（ステップＳ２５）。
このステップＳ２５の処理は、上述したステップＳ３の処理と同様である。
【００４３】
上記ステップＳ２５において、メールアドレスに対応する送信相手に対して、今回指示されたテンプレートと同一のテンプレートが過去使用されたことがあると判定された場合（「Yes」）、制御部１０は、図１２に示すように、表示部４０の画面における所定の領域に警告メッセージを常時表示させる（ステップＳ２６）。ここで、警告メッセージを表示する領域が狭い場合、警告メッセージを領域内でスイング（文字移動）させるようにしても良い。
【００４４】
そして、制御部１０は、操作部３０にて所定の操作（例えば所定のファンクションキーが押されて、図１２に示すメニューが選択された）が行われて予備選択画面の表示を指示されたか否かを判定し（ステップＳ２７）、上記予備選択画面の表示を指示されたと判定した場合（「Yes」）、ステップＳ９の処理に移行する。一方、ステップＳ２７において、上記予備選択画面の表示を指示されたと判定されない場合（「No」）、制御部１０は、警告メッセージの常時表示を継続する。
【００４５】
また、ステップＳ２５において、メールアドレスに対応する送信相手に対して、今回指示されたテンプレートと同一のテンプレートが過去使用されたことがないと判定された場合（「No」）、制御部１０は、記憶部６０に記憶されている受信履歴情報に基づいて、指示されたメールアドレスに対応する送信相手から今回指示されたテンプレートと同一のテンプレートを使用したＨＴＭＬメールを受信したことがあるか否かを判定する（ステップＳ２８）。このステップＳ２８の処理は、上述したステップＳ６の処理と同様である。
【００４６】
上記ステップＳ２８において、指示されたメールアドレスに対応する送信相手から今回指示されたテンプレートと同一のテンプレートを使用したＨＴＭＬメールを受信したことがあると判定された場合（「Yes」）、制御部１０は、表示部４０の画面における所定の領域に警告メッセージを常時表示させ（ステップＳ２９）、その後、ステップＳ２７の処理に移行する。
ステップＳ９以降の処理は、ポップアップ表示モードと同様なので説明を省略する。
【００４７】
＜メッセージオフモード＞
次に、メッセージオフモードについて説明する。ステップＳ２においてメッセージオフモードが選択されていると判定された場合、制御部１０は、上述したステップＳ１１の処理に移行し、今回指示された（つまりステップＳ１で指示された）テンプレートを使用してＨＴＭＬメールの作成処理を継続する。この場合、警告メッセージの表示は行わない。
【００４８】
以上のように、本実施形態に係る無線通信端末１００によれば、同じ送信相手に過去使用したものと同じテンプレートを使用する場合に警告メッセージを表示し、さらにテンプレートの変更を促す画面を表示することにより、ユーザはその警告メッセージを確認してテンプレートを変更することができる。その結果、同じ送信相手に過去使用したものと同じテンプレートを使用して作成したＨＴＭＬメールを繰り返し送信することがなくなり、送信相手に不快感を与えることを防止することができる。
【００４９】
また、ステップＳ６やＳ２８のように、メールアドレスに対応する送信相手に対して、今回指示されたテンプレートと同一のテンプレートが過去使用されたことがないと判定された場合であっても、受信履歴情報に基づいて、その送信相手から今回指示されたテンプレートと同一のテンプレートを使用したＨＴＭＬメールを受信したことがあるか否かを判定することにより、その送信相手から過去に受信したＨＴＭＬメールに使用されていたテンプレートと同一のテンプレートを使用することを防ぐことができ、より確実に送信相手に不快感を与えることを防止することができる。
【００５０】
また、警告メッセージの表示モードとして、ポップアップ表示モード、常時表示モード、メッセージオフモードを設けることにより、ユーザは、警告メッセージを強調したい場合にはポップアップ表示モードを選択し、専用ウインドウの表示がわずらわしい場合には常時表示モードを選択し、警告メッセージの表示そのものがわずらわしい場合にはメッセージオフモードを選択することができ、使い勝手の向上を図ることができる。
【００５１】
また、ステップＳ９のように、テンプレートの変更方法に関する第１〜第５選択肢を予備選択画面として表示させることにより、ユーザは好みの変更方法を簡単に選択することができ、使い勝手の向上を図ることができる。さらに、第２または第３選択肢では、メールアドレスに対応する送信相手に対して過去使用されたことがないテンプレートの一覧画面またはテンプレートの保存先の一覧画面を表示させることにより、ユーザは簡単な操作で新たなテンプレートを探し出すことができ、使い勝手の向上に寄与する。また、第４または第５選択肢では、予め登録されているテンプレートの配信サイトまたはテンプレートの配信サイトのアドレスを表すブックマークの一覧画面を表示させることにより、ユーザは簡単な操作でインターネット上から新たなテンプレートを探し出すことができ、使い勝手の向上に寄与する。
【００５２】
なお、本発明は上記実施形態に限定されず、以下のような変形例が考えられる。
（１）上記実施形態では、図５に示すＨＴＭＬメールの作成処理において、ＨＴＭＬメールに関する件名及び本文内容が入力される前に、ＨＴＭＬメールに使用するテンプレート及びメールアドレスの指示があった場合を想定して説明した。しかしながら、先に件名及び本文内容が入力された後に、テンプレート及びメールアドレスが指示される場合もある。この場合、指示されたテンプレートで警告メッセージが表示されてテンプレートを変更する際、件名や本文内容を入力しなおす必要があり、ユーザにとって極めて不便である。
【００５３】
そこで、操作部３０の操作によってＨＴＭＬメールに関する件名及び本文内容が入力された後に、今回使用するテンプレート及びメールアドレスの指示があった場合であって、且つその後のテンプレートの再選択によって使用するテンプレートが変更された場合、図１３に示すように、上記の件名、本文内容、変更前のテンプレートの装飾種別の中からテンプレート変更後のＨＴＭＬメールの作成に引継ぐ項目を選択させるための引継項目選択画面を表示させ、当該引継項目選択画面から操作部３０の操作により選択された項目をテンプレート変更後のＨＴＭＬメールの作成に引継ぐような機能を制御部１０に持たせる。これにより、ユーザはテンプレートを変更する際、件名や本文内容を入力しなおす必要はなく、さらに変更前のテンプレートの装飾種別も引き継ぐことができるので、使い勝手の向上を図ることができる。なお、装飾種別とは、文字色、文字サイズ、フォント、文字スイング（文字の移動）、アンダーライン等の文字装飾に関する設定項目である。
【００５４】
（２）上記実施形態では、図５のステップＳ９においてテンプレートの変更方法に関する第１〜第５選択肢を予備選択画面として表示させたが、この予備選択画面を必ずしも表示させる必要はなく、予め第１〜第５選択肢の内、どの選択肢の再選択画面を表示するか予め設定しておき、ステップＳ５、Ｓ８またはＳ２７の終了後、ステップＳ９を省略して予め設定した選択肢の再選択画面を表示するようにしても良い。例えば、第２選択肢の再選択画面を表示するように設定した場合、ステップＳ５、Ｓ８またはＳ２７の終了後、メールアドレスに対応する送信相手に対して過去使用されたことがないテンプレートの一覧画面を表示する。
【００５５】
（３）上記実施形態では、図５のステップＳ３及びＳ４において、送信相手を示す宛先（メールアドレス）が１つだけ入力された場合、つまり送信相手が１人の場合を想定して説明した。しかしながら、ＨＴＭＬメールを複数の送信相手に一括送信する場合もあり得る。この場合、ステップＳ１において複数のメールアドレスが指示されることになるので、ステップＳ３では、それぞれのメールアドレス（つまりそれぞれの送信相手）に対して、今回指示されたテンプレートと同一のテンプレートが過去使用されたことがあるか否かを判定し、ステップＳ４では警告メッセージを表示する際にどの送信相手が該当するかを表示させれば良い。例えば、警告メッセージに、「テンプレート「おはよう０１」は、「Ｆさん」に３回表示されたことがあります。」という表示を加える。
【００５６】
（４）上記実施形態では、今回指示されたテンプレートが同じ送信相手に対して過去に１回でも使用されていれば警告メッセージが表示される場合を説明したが、これに限らず、テンプレートの使用回数に関する閾値を設定し、今回指示されたテンプレートが同じ送信相手に対して上記閾値を超えた回数で使用されていれば警告メッセージを表示するようにしても良い。
【００５７】
（５）ＨＴＭＬメールの作成処理中や待ち受け画面中を問わず、操作部３０によって所定の操作が行われた場合（例えばテンプレート詳細表示のメニューが選択された場合）、送信相手（送信元）毎に使用履歴情報や受信履歴情報を表示するような機能を制御部１０に持たせても良い。または、テンプレート毎に送信相手（送信元）と使用回数との対応関係を表示するようにしても良い。これにより、ユーザは任意のタイミングで、どの送信相手に対してどのテンプレートを何回使用したかを確認することができる。また、記憶部６０に過去に送受信したＨＴＭＬメールを記憶させ、上記のように表示された使用履歴情報や受信履歴情報から任意のテンプレートと送信相手を選択した場合に、その選択されたテンプレートを使用して送信相手に送信したＨＴＭＬメールの内容を表示したり、または送信元から受信したＨＴＭＬメールの内容を表示する機能を制御部１０に持たせても良い。
【００５８】
（６）また、上記のように、テンプレート詳細表示のメニューが選択された場合に、送信相手の名称や、メールアドレスの入力画面を表示させ、操作部３０の操作によりその入力画面に入力された送信相手の名称またはメールアドレスに対応する使用テンプレートの一覧や使用回数の一覧を表示するようにしても良い。
【００５９】
（７）上記実施形態では、電子装置として、ＨＴＭＬに関するテンプレートを使用して作成したＨＴＭＬメールを送信する機能を有する携帯電話機等の無線通信端末１００を例示して説明したが、マークアップ言語に関する定型書式を使用して作成した文書データを送信する機能を有する電子装置であれば本発明を適用することができる。例えば、マークアップ言語としてはＸＭＬやＸＨＴＭＬ等を使用しても良く、文書データもメールに限定されない。
【図面の簡単な説明】
【００６０】
【図１】本発明の一実施形態に係る無線通信端末（電子装置）１００の外観図及び機能ブロック構成図である。
【図２】本発明の一実施形態に係る無線通信端末１００における記憶部６０に記憶される各種テンプレートの一例を示す説明図である。
【図３】本発明の一実施形態に係る無線通信端末１００における記憶部６０に記憶される使用履歴情報の一例を示す説明図である。
【図４】本発明の一実施形態に係る無線通信端末１００における記憶部６０に記憶される受信履歴情報の一例を示す説明図である。
【図５】本発明の一実施形態に係る無線通信端末１００の動作を示すフローチャート図である。
【図６】本発明の一実施形態に係る無線通信端末１００のポップアップ表示モード時において表示部４０に表示される警告メッセージの表示例である。
【図７】本発明の一実施形態に係る無線通信端末１００の表示部４０に表示される予備選択画面の表示例である。
【図８】本発明の一実施形態に係る無線通信端末１００の表示部４０に表示されるテンプレートの再選択画面の第１表示例である。
【図９】本発明の一実施形態に係る無線通信端末１００の表示部４０に表示されるテンプレートの再選択画面の第２表示例である。
【図１０】本発明の一実施形態に係る無線通信端末１００の表示部４０に表示されるテンプレートの再選択画面の第３表示例である。
【図１１】本発明の一実施形態に係る無線通信端末１００の表示部４０に表示されるテンプレートの再選択画面の第４表示例である。
【図１２】本発明の一実施形態に係る無線通信端末１００の常時表示モード時において表示部４０に表示される警告メッセージの表示例である。
【図１３】本発明の一実施形態に係る無線通信端末１００の表示部４０に表示される引継項目選択画面の表示例である。
【符号の説明】
【００６１】
１００…無線通信端末、１０…制御部、２０…無線通信部、３０…操作部、４０…表示部、５０…音声入出力部、６０…記憶部
【図１】
0004949221.tif 000002
【図２】
0004949221.tif 000003
【図３】
0004949221.tif 000004
【図４】
0004949221.tif 000005
【図５】
0004949221.tif 000006
【図６】
0004949221.tif 000007
【図７】
0004949221.tif 000008
【図８】
0004949221.tif 000009
【図９】
0004949221.tif 000010
【図１０】
0004949221.tif 000011
【図１１】
0004949221.tif 000012
【図１２】
0004949221.tif 000013
【図１３】
0004949221.tif 000014